【事件の表示】
　上記当事者間の特許第３５９８３５９号発明「葉たばこ乾燥用吊込・取卸装置のレール補助装置」の特許無効審判事件について、次のとおり審決する。
【結　論】
　本件審判の請求は、成り立たない。
　審判費用は、請求人の負担とする。
【理　由】
第１　手続の経緯
１．本件特許第３５９８３５９号の請求項１に係る発明（以下「本件特許発明」という。）についての出願は、平成１４年１０月２日に特許出願され、平成１６年９月２４日にその発明について特許権の設定登録がなされた。
２．請求人　三州産業株式会社は、平成２０年１１月４日に本件特許無効審判を請求した。
３．被請求人　フルタ熱機株式会社は、平成２１年１月２３日に答弁書を提出した。
４．請求人は、平成２１年３月４日に弁駁書及び手続補正書を提出した。
５．請求人は、平成２１年４月２８日に口頭審理陳述要領書を提出した。
６．被請求人は、平成２１年５月１５日に口頭審理陳述要領書を提出した。
７．請求人は、平成２１年５月１５日に口頭審理陳述要領書（２）を提出した。
８．平成２１年５月１５日に第１回口頭審理を行った。
　
第２　本件特許発明
　本件特許発明は、願書に添付した明細書の特許請求の範囲の請求項１に記載された事項により特定される次のとおりのものと認める。
　なお、便宜上、構成要件ごとに分説して符号を付して記載する。
　
Ａ　リフタ側昇降レールと乾燥室側棚レールとの間で葉たばこ用吊りラックを移動させるための葉たばこ乾燥用吊込・取卸装置において、
Ｂ　前記昇降レールと棚レールとの間に、左右方向に屈曲した補助レールを着脱可能に設けたことを特徴とする
Ｃ　葉たばこ乾燥用吊込・取卸装置のレール補助装置。
　
第３　請求人の主張
　審判請求人は、本件特許発明は、本件出願前に頒布された刊行物に記載された発明に基いて当業者が容易に発明をすることができたものであり、したがって、本件特許発明の特許は特許法第２９条第２項の規定の規定に違反してされたから、同法第１２３条第１項第２号に該当し、無効とすべきであると主張し、証拠方法として甲第１号証（特開２００２−５１７５９号公報）及び甲第２号証（特開２００１−３９６６７号公報）を提出している。
　そして以下のように主張していると認められる。
１．甲第１号証発明について
　甲第１号証に記載された発明（以下「甲第１号証発明」という。）は本件特許発明と以下の点で一致及び相違する。
（１）甲第１号証発明と本件特許発明とは、Ａの点で同一である。
（２）甲第１号証発明の補助レール４３も吊込レール３７と棚レール６の機能を補強するという意味で、本件特許発明の補助レールと同一であるから、本件特許発明と甲第１号証発明とは、Ｃの点で一致する、または一致しないとしても容易である。
（３）甲第１号証発明と本件特許発明とは、Ｂに関し、補助レールを昇降レールと棚レールとの間に設けることについては同一であり、補助レールについて、甲第１号証発明では左右方向に屈曲していないのに対し本件特許発明では左右方向に屈曲しており、甲第１号証発明では開閉可能であるのに対し本件特許発明では着脱可能である点で相違する。
　
２．甲第２号証発明について
　甲第２号証に記載された発明（以下「甲第２号証発明」という。）は本件特許発明と以下の点で一致及び相違する。
（１）甲第２号証発明の「搬送用レール」は、甲第１号証発明及び本件特許発明の「リフタ側昇降レール」及び「乾燥室棚レール」を包摂し、上位概念に該当する。
（２）甲第２号証発明の「直線レール」は、本件特許発明の「リフタ側昇降レール」及び「乾燥室棚レール」に該当し、甲第２号証発明の「湾曲レール」は本件特許発明の「補助レール」に該当し、Ｂの点で同一である。
　
３．容易想到性
（１）甲第１号証発明において、障害物が想定できるかについて
ア．装置の使用に際しての遭遇、発見
　甲第１号証発明を用いようとすれば、必然的に障害物に遭遇するものであって、そこに存在する障害物を発見したということ過ぎない。本願明細書でも従来技術である甲第１号証発明を用いようとすると障害物があるとしており、このような障害物が存在する状況は十分に想定し得たものである。
　
イ．甲第２号証発明を類推して予見することができた
　甲第２号証発明の搬送用レールと甲第１号証発明の昇降レールや棚レールとは、搬送用レールの点で一致するものである。
　そして甲第２号証発明は搬送用レールにおける障害物を避けるためのものであるから、甲第２号証発明をみた当業者であれば、同じ搬送用レールを用いる甲第１号証発明を使用する場合に、柱や電気機械設備等の障害物が存在することは、容易に類推できることである。
　甲第１号証発明を用いる施設に柱や電気機械設備が存在することは、当然の技術常識である。
　
（２）障害物を回避して、甲第１号証発明を使えるようにしようとすることについて
　甲第１号証発明を使用するに際し、障害物の存在を発見又は予見した場合、障害物の発見に際し、搬送上の支障を解決しなければならないという課題は、甲第２号証発明の課題と同じであるから、甲第２号証発明のように障害物を回避して湾曲レールを介在させることは容易である。
　つまり、甲第１号証発明の使用に際し障害物に接し、これを発見した当業者が、甲第２号証発明の構造に基づく示唆をうけて障害物を回避することは自明かつ当然の推移である。
　
（３）甲第１号証発明に甲第２号証発明の湾曲レールを用いることについて
ア．甲第１号証発明の補助レール４３を甲第２号証発明と置換すること
　甲第１号証発明の補助レール４３は、昇降レールと棚レールの双方のレール間に介在し、双方のレールの機能を補強するものであり、この点で、甲第２号証発明の湾曲レールと共通する。
　甲第１号証発明の補助レール４３は、昇降レールと棚レールの間に介在するから、他のレールを目的及び課題に応じて他のレールを介在させ得ることを示唆する。
　よって、甲第１号証発明の補助レール４３を甲第２号証発明の湾曲レールと置換することは容易である。
イ．甲第１号証発明に甲第２号証発明を追加すること
　甲第２号証発明の湾曲レールと両側の直線レールの連結部分は脚３により支持されており、上記(２)のように、甲第２号証発明の構造に基づく示唆をうけて障害物を回避するに際し、甲第１号証発明の補助レール４３を残存させて、甲第２号証発明の湾曲レールを追加することは容易である。
　
第４　被請求人の主張
　被請求人は、甲第１及び２号証発明は本件特許発明と無関係であり、本件特許発明の進歩性は否定されないとして以下のように主張する。
１．甲第１号証発明について
　本件特許発明のＢの点について、本件特許発明の補助レールと甲第１号証発明の補助レールはその機能が全く相違しており、対比すること自体誤りである。
　本件特許明細書には掛渡レールが記載され、橋渡し部分として機能しレールの端部に起倒可能に取り付けて連結解放するものであるから、甲第１号証発明における「補助レールとなる橋渡し用金具」、「橋渡し用の補助レール」に対応するレールは、むしろこちらであって、名称が同じとしても両者の課題、発明の目的、作用効果が全く相違し、同じ補助レールとして対比すること自体が誤りである。
　同様に甲第１号証発明の補助レールは本件特許明細書に記載された掛渡レールに近いものであるから、構成Ｃにおいて同一であるすることは誤りである。
　
２．甲第２号証発明について
（１）甲第２号証は、搬送用レール構造および湾曲レールに関する発明であるから、「ガイドするための設備」「ガイドする設備におけるレール補助装置」が開示されているとの主張は誤りである。
（２）搬送用レールの点で共通することは争わない。
（３）本件特許発明における補助とは本件特許明細書に示される一定機能の補助を指すから、甲第２号証の補助とは異なる。
　
３．容易想到性
（１）甲第１号証発明において、障害物が想定できるかについて
　甲第１号証発明はそのような支障がない場所を想定するものである。甲第１号証発明のラックリフタは乾燥室の直前に移動させるものであり、昇降レールが乾燥室の棚レールに届かないこと自体想定できない。
　甲第２号証発明は葉たばこ製造の技術分野のものではなく、甲第１号証発明において屈曲レールを入れるという示唆はない。
　
（２）障害物を回避して、甲第１号証発明を使えるようにしようとすることについて
　支障があれば、吊り込み作業のみ従来どおりの手作業を行えばよい。
　さらに、そのような障害物がある乾燥室を有する施設に、甲第１号証発明を用いようとしても、障害物を除去したり、邪魔にならないように乾燥室を改装すれば良い。
　この事実を単なる手間や費用の問題として見過ごさず、発明の課題として認識し、問題解決の手段を提示することは、容易ではなく、かつ、単なる発見でもない。
　屈曲されたレールを入れるだけというのは、本件特許発明をみた結果論である。
　
（３）甲第１号証発明に甲第２号証発明の湾曲レールを用いることについて
　上記（１）のとおり、甲第１号証発明において昇降レールが乾燥室の棚レールに届かないこと自体想定できないから、甲第２号証発明の湾曲レールを用いることは容易でない。
　また、甲第１号証発明のレールを曲げることはあり得ない。もし、曲げてしまうと他の乾燥室に適用できない。
　甲第１号証発明の補助レールと本件特許発明の補助レールはその機能が全く異なっており、甲第１号証発明をみても本件特許発明の課題を想起することは困難である。
　
 第５　甲第１号証及び甲第２号証
１．甲第１号証
　甲第１号証には、図１〜１２とともに以下の記載がある。
（１）「【請求項１】葉詰め台上で葉詰めされたラックを、リフタにより持ち上げて乾燥室内の棚レールに装着する葉たばこ吊込み装置であって、前記葉詰め台は、前記ラックを反転可能に保持するラック保持体と、該ラック保持体に固定され前記ラックを移動案内するガイドレールと、前記葉詰め台の前端部に設けられ前記ガイドレールの反転により該ガイドレールと連結する搬出レールとを備えることを特徴とするラック式葉たばこ吊込み装置。
【請求項２】　門形に形成したリフタを乾燥室と葉詰め台の間に設置すると共に、該リフタに、乾燥室側の棚レール及び葉詰め台側の搬出レールに連結可能な吊込レールを昇降自在に設けたことを特徴とする請求項１記載のラック式葉たばこ吊込み装置。」（【特許請求の範囲】）
（２）「葉詰め台上で葉詰めされたラックを、リフタにより持ち上げて乾燥室内の棚レールに装着する葉たばこ吊込み装置であって、・・・(中略)・・・門形に形成したリフタを乾燥室と葉詰め台の間に設置すると共に、該リフタに、乾燥室側の棚レール及び葉詰め台側の搬出レールに連結可能な吊込レールを昇降自在に設けたことを第二の特徴とする。・・・(中略)・・・特に門型のラックリフタにおいては、前記レール内に作業員が出入できるように、葉詰め台側の搬出レールと吊込レールの間には開閉可能な橋渡し部分を設ける。すなわち、両レールの接続部には、補助レールとなる橋渡し用金具を起倒可能に取り付ける。この金具が起立している時は橋渡し部分が開いて、両レールの間を作業員が通れるようにする。一方、倒伏している時は、両レールの間を金具で連絡してラックが通れるようにする。」(段落【０００５】及び【０００６】）
（３）「この後、吊込レールを電動で上下動させ、乾燥室の棚レールの高さに合わせてから、ラックを押して乾燥室内に移動させる。このとき、ラックを手で押すときは、前記レール内または各装置の間に作業員が入らなければならない。これを考慮して、作業員が自由に出入りできるように、例えば、ラックリフタと葉詰台との間において、各レールどうしの接続部分の一部（長さ約４０ｃｍ）を分離可能かつ回転可能に構成することで、この部分を持ち上げて自由に開くようにする。
　門形のラックリフタの場合は少しでも移動すると、吊込レールと乾燥室側の棚レールが位置ずれを生じたり、あるいは吊込レールが上下動するときに、互いに接触したり突き当たったりするおそれがある。これを防止すべく、ラックリフタを据え付ける際、ラックリフタの下部隅角に設けてある傾斜位置調整用のアジャスタ、とくに前側（乾燥室側）の二個のアジャスターを利用して、ラックリフタを所定位置に据付け固定する。即ちまず、くぼみを中央にもつ固定用金具を用意し、前記くぼみにアジャスタの接地部が嵌入できるように構成する。次いで、この金具をラックリフタの設置床面にアンカーボルト等で固定し、金具のくぼみにアジャスタを嵌入セットすればよい。これにより、ラックリフタを所定の吊込み位置に簡単にセットできる。
　・・・(中略)・・・ラックはその自重により自走して吊込レールに移動することができる。次に、ラックとともに吊込レールを上昇させ、乾燥室内の棚レールと接続可能にセットする。セット後、ラックを押して乾燥室側の棚レールに乗り移すことで、乾燥室内へのラックの吊り込み作業が完了する。」(段落【０００９】〜【００１２】）
（４）「本実施例の全体的なシステムは、図１に示すように、ローラ付きのラック２にたばこの葉Ｔを詰めるための葉詰め台３と、ラック２を吊った状態で乾燥させる乾燥室４と、ラック２を持ち上げて乾燥室４に吊り込む門型のラックリフタ５とからなっている。これらの使用時の配置関係は、乾燥室４の入口にラックリフタ５を連結配置し、かつラックリフタ５の後端側に葉詰め台３を連結配置する。乾燥室４の構成について説明すると、乾燥室４の左右両側の内壁面には、一対の棚レール６が二段又は三段設けられ、棚レール６には、ラック２のローラがスライド可能に嵌まるようになっている。」（段落【００１５】）
（５）「図５に示すように、ラックリフタ５は下部にキャスタ３４を有し、乾燥室４に連結可能な門型構造に形成されている。ラックリフタ５の下部四隅部には、高さ調整可能なアジャスタ３５が上下動可能に螺着されていると共に、ラックリフタ５の下部手前側には被係止具３６が突設されている。この被係止具３６には、葉詰め台３側の連結部材１３が着脱可能に係止できるようになっている。ラックリフタ５の内壁面両側には、一対の吊込レール３７が昇降可能に取り付けられ、吊込レール３７は、押釦スイッチ３８の操作で起動するモータにより、任意の高さ位置に移動停止できるようになっている。・・・(中略)・・・
　本実施例では、一対の吊込レール３７内に作業員が入ってラック２を押し込めるように、ラックリフタ５側の吊込レール３７と乾燥室４側の棚レール６との間には、橋渡し用の補助レール４３が開閉可能に設けられている。すなわち、図７に示すように、ここでは吊込レール３７の前端側接続部には、所定幅の補助レール４３が起立及び倒伏可能に取り付けられ、起立時には両レール３７及び６が分離することで、両レールの上昇及び下降ができるようになっている。また、倒伏時には両レール３７及び６が橋渡しされることで、両者の間をラック２が円滑にスライドできるようになっている。
　・・・(中略)・・・
　使用時、ラックリフタ５は、乾燥室４側の棚レール６に吊込レール３７を連結して使用されるが、このときラックリフタ５が不用意に移動するおそれがある。これを阻止するには、予めアジャスタ３５の高さ位置を下方に移動させ、地面にアジャスタ３５を接地させた状態でラックリフタ５を据え付ければよい。また、図５に示すように、アジャスタ３５が挟持嵌合可能にされた規制板７を、設置床面に少なくとも乾燥室側左右二箇所取付けておけば、ラックリフタ５の前後左右の移動を確実に規制することができる。」(段落【００２１】〜【００２４】）
　上記（１）〜（５）の記載事項及び図１〜７の図示内容を総合すると、甲第１号証には、以下の甲第１号証発明が記載されていると認められる。
「昇降自在に設けられたラックリフタ５側の吊込レール３７と乾燥室４側の棚レール６との間で葉詰めされたラック２を押し込めるラック式葉たばこ吊込み装置において、
　吊込レール３７の前端側接続部に起立及び倒伏可能に取り付けられて、起立時には両レール３７及び６が分離することで両レールの上昇及び下降ができ、倒伏時には両レール３７及び６が橋渡しされることで両者の間をラック２が円滑にスライドできる、ラックリフタ５側の吊込レール３７と乾燥室４側の棚レール６との間に開閉可能に設けられた橋渡し用の所定幅の補助レール４３。」
　
２．甲第２号証
　甲第２号証には、図１〜７とともに以下の記載がある。
（１）「【請求項１】　長さ１ｍ以下の湾曲させた湾曲レールと、任意長さの直線レールとを連結させた搬送用レール構造。
【請求項２】　前記湾曲レールと直線レールとは、ピンおよびキーにより連結されることを特徴とする請求項１記載の搬送用レール構造。」（【特許請求の範囲】）
（２）「本発明は資材等を搬送する搬送機をガイドするための搬送用レール構造および湾曲レールに関する。
　【従来の技術】資材等を搬送する搬送機をガイドするための搬送用レールがある。搬送用レールは、出発点から到着点まで直線的に敷設できればよいが、山岳地等には樹木等の障害物があるため、この障害物を避けるために４〜５ｍの長尺のものを現地で曲げ加工している。
　・・・(中略)・・・
　そこで、本発明においては、作業性の悪い現場においても簡単に敷設することが可能な搬送用レール構造および湾曲レールを提供する。
　【課題を解決するための手段】本発明の搬送用レール構造は、長さ１ｍ以下、より好ましくは７０ｃｍ以下の湾曲させた湾曲レールと、任意長さの直線レールとを連結させたものである。これにより、搬送用レールを敷設する経路上に障害物等がある場合、湾曲レールによって搬送用レールの経路を変更し、これに連結させる任意長さの直線レールによって障害物等を回避することが可能となる。このとき、長さ１ｍ以下の湾曲レールによれば、作業性の悪い現場においても簡単に敷設することが可能となる。」（段落【０００１】〜【０００５】）
（３）「本発明の実施の形態における搬送用レール構造は、図１に示すように、湾曲させた湾曲レール１と直線状の直線レール２とを組み合わせ、連結させたものである。また、これらの湾曲レール１と直線レール２とは脚３によって約３０ｃｍ程度宙へ浮かせてあり、このような搬送用レール構造によれば、平坦な湾曲レール１および直線レールの上面とラックを構成した下面とを挟み込んで移動する搬送機（図示せず）をガイドすることができる。」（段落【００１０】）
（４）「図１に戻って、搬送用レールを敷設する経路上に障害物等がある場合や、搬送用レールの経路を変更したい場合、予めいくつかの曲率半径Ｒおよび長さＬを組み合わせた湾曲レール１（例えば、曲率半径Ｒとして、１４０ｃｍ，１６０ｃｍ、長さＬとして３０ｃｍ，５０ｃｍ，７０ｃｍ等）を準備しておき、これを任意長さの直線レール２と組み合わせて敷設する。
　予め準備した湾曲レール１を組み合わせることによって、様々な曲率半径の経路を得ることが可能となるため、従来のように作業現場においてレールを曲げ加工する必要はない。また、すべての湾曲レール１は長さＬが１ｍ以下であるため、１人の人間が取り回しするのに何の問題もなく、作業性の悪い現場においても簡単に敷設することが可能である。
　具体的には、まず、湾曲レール１の挿入穴１３にキー４１とキー溝１４が嵌合するようにピン４を挿入し、ピン４の係止溝４２にボルト５を当接させて締め込み固定しておく。こうして湾曲レール１に固定したピン４を直線レール２の挿入穴２３にキー４１とキー溝（図示せず）が嵌合するように挿入し、同様にピン４の係止溝４２にボルト５を当接させて締め込み、固定する。」(段落【００１６】〜【００１８】）
　
第６　対比、判断
　本件特許発明と甲第１号証発明とを対比すると、甲第１号証発明の「昇降自在に設けられたラックリフタ５側の吊込レール３７」は、その機能・構成からみて、本件特許発明の「リフタ側昇降レール」に相当し、以下同様に、「乾燥室４側の棚レール６」は「乾燥室側棚レール」に、「葉詰めされたラック２」は「葉たばこ用吊りラック」に、「ラック式葉たばこ吊込み装置」は「葉たばこ乾燥用吊込・取卸装置」にそれぞれ相当する。
　また、甲第１号証発明の「葉詰めされたラック２を押し込める」ことは本件特許発明の「葉たばこ用吊りラックを移動させる」ことに対応する。
　そうすると、本件特許発明と甲第１号証発明とは
「リフタ側昇降レールと乾燥室側棚レールとの間で葉たばこ用吊りラックを移動させるための葉たばこ乾燥用吊込・取卸装置」における点で一致し、次の点で相違する。
相違点：本件特許発明は「Ｂ　前記昇降レールと棚レールとの間に、左右方向に屈曲した補助レールを着脱可能に設けたことを特徴とする
Ｃ　葉たばこ乾燥用吊込・取卸装置のレール補助装置」であるのに対して、
甲第1号証発明は「吊込レール３７の前端側接続部に起立及び倒伏可能に取り付けられて、起立時には吊込レール３７と棚レール６の両レール３７及び６が分離することで両レールの上昇及び下降ができ、倒伏時には両レール３７及び６が橋渡しされることで両者の間をラック２が円滑にスライドできる、ラックリフタ５側の吊込レール３７と乾燥室４側の棚レール６との間に開閉可能に設けられた橋渡し用の所定幅の補助レール４３」である点。
　
　そこで、上記相違点について検討する。
１．本件特許発明のＢの「補助レール」及び「Ｃ　葉たばこ乾燥用吊込・取卸装置のレール補助装置」が甲第１号証発明の「補助レール４３」と同一であるかについて
（１）本件特許発明のレール補助装置は、「ラックリフタ５の昇降レール８と乾燥室４の棚レール６との間で吊りラック２を移動させるとき、シャッター、支柱、配電盤等の障害物が邪魔になって吊りラック２を乾燥室４に対して正面方向から円滑に移動させることが困難にな」(本件特許明細書、段落【０００６】）り、「乾燥室４の前方において吊込・取卸装置１を所定位置に正しく据え付けることができ」（本件特許明細書、段落【０００５】）ないことを回避するべく、「吊りラックの移動方向を乾燥室に対し斜めに変更させるため」（本件特許明細書、段落【０００８】）に「昇降レールと棚レールとの間に、左右方向に屈曲した補助レールを着脱可能に設け」るものである。
　つまり、本件特許発明のレール補助装置は、乾燥室４の前方の障害物があってもラックリフタ５を用いることができるように、左右方向に屈曲した補助レールを着脱可能に設け、吊込・取卸装置１のラックリフタを乾燥室に対し斜めに設置するためのものといえる。
（２）一方、甲第１号証発明の「補助レール４３」は、「起立時には吊込レール３７と棚レール６の両レール３７及び６が分離することで両レールの上昇及び下降ができ、倒伏時には両レール３７及び６が橋渡しされることで両者の間をラック２が円滑にスライドできる」ものであって、吊込レール３７が昇降できるように吊込レール３７と棚レール６を分離し、かつ、倒伏して両レール３７及び６を橋渡し、ラック２をスライドさせるものといえる。
（３）そうすると、本件特許発明の「補助レール」と甲第１号証発明の「補助レール４３」とは、ともに昇降レールと棚レールとの間に介在し、両者を接続して葉たばこ用吊りラックを移動させるもの、両レールを補助するものといえるものの、その具体的な機能は全く異なり、また、甲第１号証発明の「補助レール４３」は左右方向に屈曲したしたものでもない。
　さらに、甲第１号証発明の「補助レール４３」における「起立及び倒伏可能」は、吊込レール３７が昇降できるように吊込レール３７と棚レール６を分離するものであり、本件特許発明の「補助レール」における「着脱可能」と、その目的・機能が異なり、この点においても相違する。
　したがって、本件特許発明の補助レールと甲第１号証発明の補助レールとが同一であるとはいえない。
（４）また、本件特許明細書には「昇降レール側には、中継レール部材である掛渡レールを取り付け、掛渡レールに補助レールの他端を接続可能に構成する。・・・(中略)・・・この掛渡レールは、補助レールまたは昇降レールの端部に設けられるものであって、棚レールに対して開閉可能な橋渡し部分として機能する。即ち、補助レールまたは昇降レールの端部に掛渡レールを起倒可能に取り付ける。これにより、起立時には掛渡レールが開いて棚レールとの連結が開放される一方、倒伏時は掛渡レールが閉じて棚レールに連結される。」（本件特許明細書、段落【０００９】）及び「吊りラック２は左右両側の掛渡レール９及び右側補助レール１０を介して、棚レール６上に乗り移って棚レール６上を移動し、葉たばこＴが乾燥室４内に乾燥可能な状態に吊り込まれることになる。」(本件特許明細書、段落【００２０】）と、昇降レールの端部に掛渡レールを起倒可能に取り付け、掛渡レールに補助レールの他端を接続可能に構成し、倒伏時は掛渡レールが閉じて棚レールに連結され、吊りラックを掛渡レール及び補助レールを介して、棚レールに移動させることも記載されている。
　とすると、甲第１号証発明の「補助レール４３」は、その目的や起倒可能という機能からみて、本件特許発明の「掛渡レール」に相当するといえ、この点からも、本件特許発明の「補助レール」に対応するとはいえない。
（５）なお、甲第１号証発明の吊込レール３７と棚レール６との間に設けられる「補助レール４３」とともに、第５の１．の（２）及び（３）で摘示したように、「葉詰め台側の搬出レールと吊込レールの間には開閉可能な橋渡し部分を設け」、「すなわち、両レールの接続部には、補助レールとなる橋渡し用金具を起倒可能に取り付け」、「この金具が起立している時は橋渡し部分が開いて、両レールの間を作業員が通れるようにする。一方、倒伏している時は、両レールの間を金具で連絡してラックが通れるようにする」ものの、当該「補助レールとなる橋渡し用金具」は、設けられる場所が異なるだけでなく、その目的・機能においても、作業員が通れるようにすることが加えられている点で異なり、本件特許発明の補助レールとは対応しない。
（６）また、本件特許発明の「葉たばこ乾燥用吊込・取卸装置のレール補助装置」は、「補助レール」を「昇降レールと棚レールとの間に、」「着脱可能に設けた」ものであって、上記（１）〜（４）で述べたように、甲第１号証発明の「補助レール４３」と本件特許発明の「補助レール」とは、その目的、機能、構成において一致しないのであるから、本件特許発明の「葉たばこ乾燥用吊込・取卸装置のレール補助装置」と甲第１号証発明の「補助レール４３」についても同一であるとはいえない。
　
２．甲第１号証発明において、甲第２号証記載の事項を適用して、上記相違点に係る本件特許発明の発明特定事項とすることが容易であるかについて
（１）甲第１号証発明において、障害物が想定できるかについて
ア．甲第１号証発明から想定できるか
（ア）甲第１号証発明の「補助レール４３」から想定できるか
　甲第１号証発明は、「昇降自在に設けられたラックリフタ５側の吊込レール３７と乾燥室４側の棚レール６との間で葉詰めされたラック２を押し込めるラック式葉たばこ吊込み装置」である。そして、甲第１号証発明の「補助レール４３」は上記１．で述べたように、本件特許発明の「補助レール」や「葉たばこ乾燥用吊込・取卸装置のレール補助装置」に相当するものではない。
　そうすると、甲第１号証発明に「補助レール４３」があるとしても、そのことから、本件特許発明が「補助レール」や「葉たばこ乾燥用吊込・取卸装置のレール補助装置」により、回避するとした、「吊りラック２を乾燥室４に対して正面方向から円滑に移動させることが困難にな」(本件特許明細書、段落【０００６】）り、「乾燥室４の前方において吊込・取卸装置１を所定位置に正しく据え付けることができ」（本件特許明細書、段落【０００５】）なくする、「乾燥室４の入口付近」の障害物を想定し得たとはいえない。
（イ）甲第１号証に障害物の示唆があるか
　また、甲第１号証には、第５の１．の（２）で摘示したように「門形に形成したリフタを乾燥室と葉詰め台の間に設置すると共に、該リフタに、乾燥室４側の棚レール及び葉詰め台側の搬出レールに連結可能な吊込レールを昇降自在に設け」るものであり、（４）で摘示したように「使用時の配置関係は、乾燥室４の入口にラックリフタ５を連結配置し、かつラックリフタ５の後端側に葉詰め台３を連結配置する」ことが記載され、また、甲第１号証の図１には、乾燥室４の入口に、ラックリフタ５及び葉詰め台３を、棚レール６及び吊込レール３７が真っ直ぐにつながるように、連結配置される様子が図示されており、これらのことからみて、乾燥室４の入口に、ラックリフタ５を乾燥室４の棚レール６とラックリフタ５の吊込レール３７が直接つながるよう設けることが示されているといえるものの、上記記載及び甲第１号証のその他の記載をみても、乾燥室４の入口にラックリフタ５を接続するに際して、障害物が存在することについては、何ら記載も示唆もされていない。
　そうすると、上記甲第１号証の記載からは、乾燥室４の入口にラックリフタ５を接続するに際しての障害物が存在することを当業者が想定できたとはいえない。
（ウ）甲第１号証発明を使用しようとするとき、当業者であれば、障害物の存在を想定できたか
　甲第１号証発明を実施するにあたり、乾燥室４の入口にラックリフタ５の設置する場合を想定するとしても、上記（イ）で検討したように、その設置時に障害物があるとは、甲第１号証に何ら示唆されていないのであるから、甲第１号証発明から障害物の存在を想到するとはいえない。
　乾燥室４のある施設には、柱や電気設備があることが当業者にとって常識であるとしても、それが直ちに、甲第１号証発明における、乾燥室４の入口における障害物となるとはいえない。すると、甲第１号証発明を設置するに際し、当業者が必然的に、移動不可能な障害物を想定するものとはいえない。
　実際にラックリフタ５を設置しようとした際に、乾燥室４の入口及びその周囲の状況がラックリフタ５の設置に対しての障害があったとしても、障害物を発見したとしても、その事実のみでは、甲第１号証発明から当業者が障害物を想定できたとすることはできない。
　よって、たとえ、当業者が甲第１号証発明の使用を想定するとしても、さらに柱や電気設備があることが知られているとしても、そのことから、乾燥室４の入口にラックリフタ５の設置に対する障害物の存在を想定するとはいえない。
　
　したがって、上記（ア）〜（ウ）で述べたように、甲第１号証発明から障害物が想定できたとはいえない。
　
イ．甲第２号証発明を類推して予見することができるか
（ア）甲第２号証に甲第１号証発明における障害物が記載されているか
　甲第２号証には、湾曲レールと、直線レールとを連結させた搬送用レール構造が記載されており、第５の２．の（２）で摘示したように「搬送用レールは、出発点から到着点まで直線的に敷設できればよいが、山岳地等には樹木等の障害物があるため、」「搬送用レールを敷設する経路上に障害物等がある場合、湾曲レールによって搬送用レールの経路を変更し、これに連結させる任意長さの直線レールによって障害物等を回避することが可能と」すべく、「長さ１ｍ以下の湾曲レールによ」り「、作業性の悪い現場においても簡単に敷設することが可能と」することが記載されていて、搬送用レールを敷設するにあたり、直線的に敷設できればよいが、山岳地等には樹木等の障害物があるため、湾曲レールによって搬送用レールの経路を変更し、これに連結させる任意長さの直線レールによって障害物等を回避することが開示されているといえる。
　甲第１号証発明のラックリフタ５側の吊込レール３７と乾燥室４側の棚レール６は、ラック２を押し込めるものであるから、搬送用のレールという点において、甲第２号証記載の搬送用レールと共通する。
　しかしながら、甲第１号証発明は上記ア．で述べたように、乾燥室４の入口にラックリフタ５を接続するよう設置するものであって、甲第２号証の記載が、この設置に対する障害物を示唆するものではない。
（イ）甲第２号証の記載から甲第１号証発明における障害物が予見できるか
　また、甲第２号証の搬送用レールは、上記（ア）で述べたような一般の搬送用レールといえ、出発点から到着点まで敷設するものにおいて、その直線上に障害物があるとき、湾曲レールによって搬送用レールの経路を変更し、任意長さの直線レールによって障害物等を回避するものであるから、そもそも離れた位置にある出発点から到着点を結ぶにあたり、その直線上の障害物を回避すべく、湾曲レールと直線レールを用いるものである。
　一方、甲第１号証発明は、乾燥室４の入口にラックリフタ５を設置し、ラックリフタ５側の吊込レール３７と乾燥室４側の棚レール６とを橋渡し用の所定幅の補助レール４３により接続されるものであり、かつ、補助レール４３についても上記１．（２）で述べたように、吊込レール３７が昇降できるように吊込レール３７と棚レール６を分離し、かつ、倒伏して両レール３７及び６を橋渡し、ラック２をスライドさせるという、近い位置にある、特定の吊込レール３７と棚レール６を接続するものである。
　したがって、甲第２号証に記載されるような一般の搬送用レールが、その直線上の障害物を回避すべく湾曲レールと直線レールを用いるとしても、そもそも離れた位置にある出発点から到着点を結ぶものであって、上記甲第１号証発明のような、特定の、吊込レール３７と棚レール６を接続するように乾燥室４の入口にラックリフタ５を設置するに際しての、障害物を示唆するものではない。例え、乾燥室４を有する施設に柱や電気機械設備が存在することが当業者にとって常識であるとしても、甲第１号証発明における、特定の、ラックリフタ５側の吊込レール３７と乾燥室４側の棚レール６を接続するに際しての障害物の存在を、当業者に容易に類推させるものではない。
　したがって、甲第２号証をみても、これから類推して障害物を予見することができたとはいえない。
　
　以上、述べたように、「甲第１号証発明において、障害物が想定できるか」について、甲第１号証発明から想定できたとも、甲第２号証の記載から類推して予見することができたともいえない。
　
（２）障害物を回避して甲第１号証発明を使用できるように、甲第２号証発明の湾曲レールを用いることについて
　上記（１）で述べたように、甲第１号証発明において、乾燥室４の入口付近に障害物を想定できたとはいえないから、その障害物を回避してラックリフタ５を設置できるように、左右方向に屈曲した補助レールを着脱可能に設ける、葉たばこ乾燥用吊込・取卸装置のレール補助装置について、たとえ甲第２号証の搬送用レールが知られているとしても、当業者が容易に想到し得たものとはいえない。
　さらにいえば、本件特許発明は、１．（１）で述べたように、左右方向に屈曲した補助レールを着脱可能に設け、吊込・取卸装置１のラックリフタを乾燥室に対し斜めに設置するものであるから、たとえ、「乾燥室４の前方において吊込・取卸装置１を所定位置に正しく据え付けることができ」なくする障害物があったとしても、具体的にこれを回避する手段として、本来、乾燥室４の前方に、左右に曲げることなく設置するラックリフタを乾燥室に対し斜めに設置することを選択し、そのために「左右方向に屈曲した補助レールを着脱可能に設け」ることを、当業者が直ちに想到するとはいえない。
　そして、甲第２号証は、既に規定された、出発点及び到着点の間を直線的に敷設できないときに、障害物を避けるために、湾曲レールによって搬送用レールの経路を変更し、これに連結させる任意長さの直線レールによって障害物等を回避することが示されるにすぎないから、上記にようにラックリフタを乾燥室に対し斜めに設置することにより当該障害物を避けることまでは示唆しておらず、甲第２号証をみても、本件特許発明が容易になし得たものとはいえない。
　仮に、一般的に、障害物が想定できるとしても、具体的な障害物がいかなるものか不明であり、甲第１号証発明から、直ちに左右方向に屈曲したレールにより、ラックリフタを乾燥室に対し斜めに設置することは想定できない。
　
３．まとめ
　したがって、本件特許発明が甲第１号証及び甲第２号証に記載された発明に基づいて当業者が容易に発明をすることができたとすることはできない。
　
第７　むすび
　以上のとおりであるから、請求人の主張及び証拠方法によっては本件特許の請求項１に係る発明の特許を無効とすることはできない。
　審判に関する費用については、特許法第１６９条第２項の規定で準用する民事訴訟法第６１条の規定により、請求人が負担すべきものとする。
　よって、結論のとおり審決する。